(57)【要約】【課題】振動スクリーン本体の設置に際し、本体全体を傾斜させることなくスクリーン面に十分な勾配を確保することができる構成とする。【解決手段】焼却灰を受け入れて分級処理する振動スクリーン１０であって、振動スクリーン１０の本体１１の上流から下流に到る傾斜角度θ１に対してスクリーン１４の設置傾斜角度θ２が、θ１＜θ２の関係に構成する。【選択図】図１
2007021432.tif 000002
【特許請求の範囲】
【請求項１】
焼却灰を受け入れて分級処理する振動スクリーンであって、振動スクリーン本体の上流から下流に到る傾斜角度θ１に対してスクリーンの設置傾斜角度θ２が、
θ１＜θ２
の関係に構成されていることを特徴とする振動スクリーン。
【請求項２】
前記スクリーンは、そのスクリーン面が、連接する上流側トラフおよび下流側トラフに対して所要傾斜角度で設置されていることを特徴とする請求項１に記載の振動スクリーン。
【発明の詳細な説明】
【技術分野】
【０００１】
本発明は、主としてごみ焼却灰を処理する工程で大きな塊状になったものを取り除く分級処理で使用される振動スクリーンに関するものである。
【背景技術】
【０００２】
一般に、ごみ焼却灰を溶融処理するに当たっては、溶融炉に供給する被処理溶融物を処理するために、焼却灰を前処理して粒度調整を行う必要がある。この粒度調整は、振動スクリーンに焼却灰を投入して、スクリーンの目開きより小さいものをスクリーン下に落し、大きいものはスクリーン上を下流側に送る方法を採用している。
【０００３】
この焼却灰の分級処理に使用される振動スクリーンとしては、例えば図３に示されるようなものがある。この振動スクリーン５０についてその概要を説明すると、振動スクリーン本体５１（以下、単に「本体５１」という。）は、所要寸法で箱形閉鎖構造に形成され、被処理物の受け入れ側（上流側）から排出側（下流側）に向かって所要角度で下がり勾配に設置される。そして、前記本体５１の上流側上部には、被処理物投入シュート５２が接続され、下流側最端部にスクリーン上に分級された固形物が排出されるスクリーン上排出シュート５８が接続されて系外に排出できるようにされている。また、本体５１の内部には、中間部にスクリーン５３が、上流側に、投入される被処理物を受け入れてスクリーン５３に向け搬送する投入トラフ５４が、そしてスクリーン５３の下流側位置に排出トラフ５５が、前記スクリーン５３の下側に、分級されたスクリーン下排出物を受けて送り出すスクリーン下排出トラフ５６が、それぞれ設けられている。そして、前記スクリーン下排出トラフ５６の下流には、スクリーン下排出物として分級された焼却灰を次工程へ送り出す排出シュート５７が連設されている。なお、図中符号５９はカウンターバランサーである。
【０００４】
このような構成の振動スクリーン５０は、図示されない振動発生装置と連結されて振動を与えられ、被処理物投入シュート５２から本体５１内に被処理焼却灰を投入すると、投入トラフ５４上に受け入れられ、その投入トラフ５４上を流動してスクリーン５３上に送られ、このスクリーン５３で分級された所要粒径以下の焼却灰がスクリーン下排出トラフ５６上に落下して順次排出シュート５７を通じて次工程に送られる。一方、スクリーン５３上の粒径の大きな処理物（焼却灰の塊状のものやその他の異物）は、スクリーン５３の下流側に連なる排出トラフ５５を経てスクリーン上排出シュート５８により系外に排出され、系外で別途処理される。
【０００５】
前記振動スクリーン５０におけるスクリーン５３は、一般に図３（ｂ）（ｃ）によって示されるような構成のものが使用されている。このスクリーン５３は、上辺部６１を櫛歯状６２にしてその基部６３を下向きに屈曲させて補強構造に形成されたスクリーンの幅寸法に対応する長さの部材にてなる篩モジュール６０を、複数本所定の間隔で上流側から下流側に向かって下降する階段状に、前記櫛歯状６２部分と次の位置に配設する別篩モジュール６０の基部６３とを上下に所要間隔をおいてオーバーラップさせて配置し、平面視で各篩モジュール６０の櫛歯状６２部分と基部６３との重なりで形成される目開き６５を設定し、その目開き６５部分で分級する被処理物（焼却灰）の粒径が設定されるように構成されている。
【発明の開示】
【発明が解決しようとする課題】
【０００６】
ところが、前述のような振動スクリーン５０による焼却灰の粒度調整（分級処理）では、処理される焼却灰中の異物（特に針金などの長尺物７０や金属片７１）がスクリーン５３の櫛歯状６２の突出部分に引っ掛かって、時間の経過に伴って次第にスクリーン面を覆う状態となって分級能力が低下する。そのために、定期的なスクリーン５３の清掃が必要になる。
【０００７】
このようなスクリーン５３に異物が引っ掛かってスクリーン面を覆う事態になるのを防止するためには、スクリーン面は適正な下流側への下がり傾斜を有していることが望ましい。しかしながら、これまでの振動スクリーン５０では機械の本体５１の全体を大きく下がり勾配に設置する必要があり、こうすると配置の制約上高さ方向Ｈに余裕のない場合には、振動スクリーン５０に十分な下がり傾斜を確保することができない。そのために、スクリーン面の清掃頻度が増えることが避けられない、言い換えると作業能率が低下するという問題点がある。
【０００８】
本発明は、このような問題点を解決するためになされたもので、振動スクリーン本体の設置に際し、本体全体を傾斜させることなくスクリーン面に十分な勾配を確保することができる構成の振動スクリーンを提供することを目的とするものである。
【課題を解決するための手段】
【０００９】
前記目的を達成するために、本発明による振動スクリーンは、
焼却灰を受け入れて分級処理する振動スクリーンであって、振動スクリーン本体の上流から下流に到る傾斜角度θ１に対してスクリーンの設置傾斜角度θ２が、
θ１＜θ２
の関係に構成されていることを特徴とするものである。
【００１０】
前記発明において、前記スクリーンは、そのスクリーン面が、連接する上流側トラフおよび下流側トラフに対して所要傾斜角度で設置されていることを特徴とする（第２発明）。
【発明の効果】
【００１１】
本発明によれば、機械内部でスクリーン面の傾斜角を大きくすることにより、被処理物の流動を早めてスクリーン面を移動する異物がスクリーンに引っ掛かり難くなり、その結果スクリーン面を異物が覆う現象が低減するので清掃頻度が少なくなって作業性の向上を図ることができるという効果を奏する。しかも、振動スクリーン全体を傾斜させることなく能率向上が図れるので、振動スクリーンの設置高さが十分に確保できない場合でも、スクリーンには必要な傾斜を確保できるという利点がある。
【００１２】
また、第２発明によれば、スクリーン面の傾斜角度を大きくして、スクリーン上流側の被処理物投入トラフの角度を水平乃至緩傾斜にして被処理物を供給する構成としたことで、スクリーン面に供給する被処理物の供給量を定量化できることになり、スクリーンでの分級効果を高めることができるという効果を奏する。
【発明を実施するための最良の形態】
【００１３】
次に、本発明による振動スクリーンの具体的な実施の形態について、図面を参照しつつ説明する。
【００１４】
図１には本実施形態の振動スクリーンの概要図が、図２にはスクリーンの一部の断面を模式的に表わす図が、それぞれ示されている。
【００１５】
この実施形態の振動スクリーン１０は、ごみ焼却灰を溶融処理する前処理工程で大きな塊状物や異物を除去して溶融炉に供給する被処理物を支障なく処理できるように粒度調整（分級処理）するのに用いられるものである。
【００１６】
振動スクリーン１０の本体１１は、所要幅で分級に要する所要長さ寸法の箱形閉鎖構造にされており、被処理物の受入れ側（上流側）から排出側（下流側）に向かって所要角度θ１で下がり勾配に形成されている。この本体１１には、上流側上部に投入口１２が設けられて被処理物投入シュート１７が接続され、下流側最端部に分級された塊状の固形物やその他の異物（スクリーン上の処理物）が排出される排出シュート１８が接続されている。そして、前記本体１１の設置高さＨは、従前のものと同様の高さに形成されている。これらの基本構成については従来装置と同様である。
【００１７】
本体１１の内部では、前記被処理物投入シュート１７が接続される投入口１２の下側に水平状態もしくは下がり勾配の緩傾斜状態で投入トラフ１３が配設され、中間部にスクリーン１４が設けられ、そのスクリーン１４の下流端に排出トラフ１５が配設されて前記排出シュート１８と接続されている。なお、前記排出トラフ１５も水平もしくは下がり勾配の緩傾斜状態に設けられる。また、前記スクリーン１４の下側にはスクリーン下の排出トラフ１６が配置され、この排出トラフ１６の下流端部に分級されたスクリーン下の処理物４１を排出する処理物送出口１９が設けられ、この処理物送出口１９には系外に処理物４１を送り出すスクリーン下排出シュート２０が接続されている。そして、本体１１は、後述するスクリーン１４の配置部分をスクリーンの傾斜に合わせて傾斜させ、その他の部分は水平状態で、ちょうど中折れ形状に形成され、上流の被処理物投入箇所からスクリーン上排出部まで全体としてゆるい傾斜角度θ１で形成されている。なお、カウンターバランサーおよび振動発生装置については図示省略している。
【００１８】
このように構成される振動スクリーン１０における前記スクリーン１４は、従来と同様に上辺部に櫛歯状もしくは馬蹄形状の構造を備える篩モジュール２１を、前記従来装置と同様に所定の間隔で階段状に、上流側から下流側へ櫛歯状に形成された部分２２（以下、「櫛歯状部分２２」という。）を、次に配置される篩モジュール２１の基部２３上にオーバーラップさせて順次所要数配列されて、平面視で各篩モジュール２１の櫛歯状部分２２とその下側に位置する別の篩モジュール２１の基部２３との重なりにより形成される目開きを所要寸法に設定されている。そして、それら複数の篩モジュール２１によって形成されるスクリーン面１４ａが上流側から下流側に向かって下がり勾配で配置されており、そのスクリーン面１４ａの傾斜角度θ２が本体１１の上流側端部から下流側端部に到る傾斜角度θ１よりも大きくなるように構成されている。ちなみに、本体１１の傾斜角度θ１が約１°に対してスクリーン面１４ａの傾斜角度θ２が５°程度とされている。ただし、前記数値についてはこれに限定されない。
【００１９】
したがって、前記スクリーン１４を構成する複数の篩モジュール２１は、その櫛歯状部分２２の上面をそれぞれ傾斜させて、全体として下がり勾配に配設されることになる。なお、排出トラフ１６は緩傾斜でもよい。
【００２０】
このようにして構成される本実施形態の振動スクリーン１０は、被処理物投入シュート１７を通じて供給される焼却灰（被処理物４０）が投入口１２から本体１１内の投入トラフ１３上に投入されると、その投入トラフ１３が水平状態（もしくは緩傾斜状態）にされているので、本体１１に振動発生装置によって付勢される所要振動波により投入された被処理物４０が分散されて幅方向に拡散されつつ下流方向に搬送される。この際、被処理物４０は投入トラフ１３面が水平状態（緩傾斜状態にすることもできる）にあるので、振動によって幅方向に拡散する傾向が強く、この投入トラフ１３からスクリーン１４に送られる間に搬送される被処理物４０の層厚が平均化し、定量的にスクリーン面１４ａに供給することができる。
【００２１】
振動するスクリーン１４のスクリーン面１４ａに送り込まれた被処理物４０は、そのスクリーン面１４ａが所要の傾斜角度θ２にされて、スクリーン１４を構成する篩モジュール２１の櫛歯状部分２２の上面が所要の傾斜角度で下がり勾配になっているので、流動速度が速められながら、目開きの寸法に対応した大きさ（粒径以下）のものが篩分けられてスクリーン下に落下される。また、その目開きの寸法以上のものがそのままスクリーン面１４ａ上を排出トラフ１５に向かって流動する。こうして篩分けされた被処理物４０は、スクリーン下に分級された処理物４１が、次の焼却灰溶融処理の工程へ処理物送出口１９からスクリーン下排出シュート２０を通じて送り出される。一方、スクリーン面１４ａ上に分級されたスクリーン１４の目開き寸法よりも大きい処理物４２は、排出トラフ１５から排出シュート１８を通じて他の処理工程に送り出される。
【００２２】
そして、前記スクリーン１４においては、被処理物４０の篩分け操作に際して、そのスクリーン面１４ａを構成する櫛歯状部分２２を持った篩モジュール２１が、上面を下がり勾配にされて、スクリーン面１４ａ全体として所要傾斜角度θ２で形成されているので、被処理物４０の流動速度が速められるとともに、その被処理物４０に混在する長尺物、例えば針金などが振動によって跳ね上がり戻るような現象が低下して、目開き部分にその一部が嵌り込んで係合状態となることが少なくなる。あるいは櫛歯状部分２２の突出部位の先端部に針金が絡みつくような現象が生じなくなる。また、金属などの塊状物が目開き部分に係合して動きを止めるというような現象の発生が著しく減少することになった。その結果、スクリーン面１４ａがスクリーン上に分級された処理物４２中の異物による分級操作の阻害状態が著しく減少し、定期的なスクリーン面１４ａの清掃作業の頻度を低減できることになった。したがって、振動スクリーンにおける分級効率が向上し作業能率を高めることができる。
【００２３】
しかも、振動スクリーンの設置高さが十分確保できない場合でも、本体内部でスクリーンに必要な傾斜角度を確保できるので、従来同様の設置スペースにおいて設置条件を満足できるという効果が得られるのである。その上、構造上何ら複雑化することなく構成できて支障を来たすことはない。
【００２４】
また、前記スクリーンとしては、櫛歯状部分を備える篩モジュールを組合わせるほかに、図示省略するが、所要面積のプレートを所要傾斜角度で配置して、このプレートに適宜ピッチで多数の前記目開きに対応する孔を千鳥配置で穿孔して、その各孔に下向きで適宜長さのパイプを接合した構造のスクリーンを形成することもできる。このように構成すると、目開き孔で篩分けすることができ、その各孔に下向きに突き出して接合したパイプによって目開き孔に針金など長尺物が絡まるのを防止することができる。
【図面の簡単な説明】
【００２５】
【図１】本実施形態の振動スクリーンの概要図
【図２】スクリーンの一部の断面を模式的に表わす図
【図３】従来の振動スクリーンの概要図（ａ）とそのスクリーンの要部縦断面図（ｂ）および図（ｂ）のＡ−Ａ視図（ｃ）
【符号の説明】
【００２６】
１０    振動スクリーン
１１    振動スクリーンの本体
１２    投入口
１３    投入トラフ
１４    スクリーン
１４ａ  スクリーン面
１５    排出トラフ
１６    スクリーン下排出トラフ
１７    被処理物投入シュート
２０    スクリーン下排出シュート
２１    篩モジュール
２２    櫛歯状部分
２３    基部
４０    被処理物（焼却灰）
４１    処理物（スクリーン下に分級された溶解用の焼却灰）
θ１    本体の傾斜角度
θ２    スクリーン面の傾斜角度
Ｈ      振動スクリーンの設置高さ
【図１】
2007021432.tif 000003
【図２】
2007021432.tif 000004
【図３】
2007021432.tif 000005